【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
デジタル画像を保存および表示するためのメモリを備えるデジタル表示記憶機器であって、
前記メモリは前記デジタル表示記憶機器によって取得された画像を保存するよう指定された第一の部分と、デジタル画像を保存するための第二のメモリ部分を有し、前記第二のメモリ部分には保護モードがあり、このモードおいては前記デジタル表示記憶機器の使用者が保護モードを無効にしないかぎり、前記第二のメモリ部分の中の前記デジタル画像の削除または上書きが防止され、前記第二の部分の前記保護モードが無効にされると、前記デジタル表示記憶機器は、前記第二のメモリ部分の前記デジタル画像の上に前記新たに撮影されたデジタル画像を上書きし、前記第二のメモリ部分の中の上書きされた前記デジタル画像は、前記デジタル表示記憶機器が前記上書きされたデジタル画像を復元するための情報を持つデータベースと通信リンクしている状態になっている時で、前記第二のメモリの中の前記新たに取得された画像が前記デジタル表示記憶機器から消去された後に、前記第二のメモリ部分に復元されることを特徴とするデジタル表示記憶機器。
【請求項２】
請求項１に記載のデジタル表示記憶機器であって、
前記第二のメモリ部分の中の前記デジタル画像は、前記保護モードが無効にされたとき、前記新たに取得されたデジタル画像を保存するのに必要な範囲でのみ上書きされることを特徴とするデジタル表示記憶機器。
【請求項３】
請求項１に記載のデジタル表示記憶機器であって、
前記第二のメモリ部分の中の前記デジタル画像は、前記第一のメモリ部分が新たに取得されたデジタル画像をそれ以上記憶できなくなるまで、かつ前記保護モードが無効にされるまで、上書きされないことを特徴とするデジタル表示記憶機器。
【手続補正２】
【補正対象書類名】明細書
【補正対象項目名】００３８
【補正方法】変更
【補正の内容】
【００３８】
本発明は、特定の好ましい実施形態に関して詳細に説明したが、本発明の精神と範囲から逸脱することなく、変更や改変も実現可能であることは容易に理解されるであろう。
（１）デジタル画像を保存および表示するためのメモリを備えるデジタル表示記憶機器であって、
前記メモリは前記デジタル表示記憶機器によって取得された画像を保存するよう指定された第一の部分と、デジタル画像を保存するための第二のメモリ部分を有し、前記第二のメモリ部分には保護モードがあり、このモードおいては前記デジタル表示記憶機器の使用者が保護モードを無効にしないかぎり、前記第二のメモリ部分の中の前記デジタル画像の削除または上書きが防止され、前記第二の部分の前記保護モードが無効にされると、前記デジタル表示記憶機器は、前記第二のメモリ部分の前記デジタル画像の上に前記新たに撮影されたデジタル画像を上書きし、前記第二のメモリ部分の中の上書きされた前記デジタル画像は、前記デジタル表示記憶機器が前記上書きされたデジタル画像を復元するための情報を持つデータベースと通信リンクしている状態になっている時で、前記第二のメモリの中の前記新たに取得された画像が前記デジタル表示記憶機器から消去された後に、前記第二のメモリ部分に復元されることを特徴とするデジタル表示記憶機器。
（２）
（１）に記載のデジタル表示記憶機器であって、
前記第二のメモリ部分の中の前記デジタル画像は、前記保護モードが無効にされたとき、前記新たに取得されたデジタル画像を保存するのに必要な範囲でのみ上書きされることを特徴とするデジタル表示記憶機器。
（３）
（１）に記載のデジタル表示記憶機器であって、
前記第二のメモリ部分の中の前記デジタル画像は、前記第一のメモリ部分が新たに取得されたデジタル画像をそれ以上記憶できなくなるまで、かつ前記保護モードが無効にされるまで、上書きされないことを特徴とするデジタル表示記憶機器。
（４）
（１）に記載のデジタル表示記憶機器であって、
前記新たに取得されたデジタル画像の消去は、前記取得された画像を前記データベースにアップロードすることであることを特徴とするデジタル表示記憶機器。
（５）
（１）に記載のデジタル表示記憶機器であって、
前記第二のメモリ部分に、その中に保存すべきものとして特定された画像を保存するのに実際に必要なメモリ需要量が前記第二のメモリ部分に割り付けられたメモリ容量より小さい場合、前記第二のメモリ部分の中の余剰メモリは、前記デジタル表示記憶機器によって取得された新しい画像に関して使用できることを特徴とする前記デジタル表示記憶機器。
（６）
（１）に記載のデジタル表示記憶機器であって、
デジタル表示記憶機器に記憶されている選択された画像の印刷は、前記選択された画像についてより高解像度のものが記憶されているホスト機器を通じて行われ、前記高解像度の画像が前記印刷に使用されることを特徴とするデジタル表示記憶機器。
（７）
（１）に記載のデジタル表示記憶機器であって、
前記ホスト機器は、前記より高解像度の画像が記憶されている部分に固有の識別表示を有し、前記固有の識別表示を使って前記デジタル表示記憶機器と前記ホスト機器との間のオーソライズされた通信が許可されることを特徴とするデジタル表示記憶機器。
（８）
（１）に記載のデジタル表示記憶機器であって、
前記デジタル表示記憶機器は、前記デジタル表示記憶機器と前記ホスト機器との間のオーソライズされた通信を許可するために使用される固有の識別表示を有することを特徴とするデジタル表示記憶機器。
（９）
（１）に記載のデジタル表示記憶機器であって、
前記表示記憶機器はデジタルカメラであることを特徴とするデジタル表示記憶機器。
（１０）
（１）に記載のデジタル表示記憶機器であって、
前記表示記憶機器はＰＤＡであることを特徴とするデジタル表示記憶機器。
（１１）
（１）に記載のデジタル表示記憶機器であって、
前記表示記憶機器はポータブルコンピュータであることを特徴とするデジタル表示記憶機器。
（１２）
（１）に記載のデジタル表示記憶機器であって、
前記表示記憶機器は携帯電話機内蔵カメラであることを特徴とするデジタル表示記憶機器。
（１３）
デジタル画像を記憶するためのメモリを有するデジタル表示記憶機器であって、
前記メモリは前記デジタル表示記憶機器によって取得された画像を第一の解像度で記憶するために指定された第一の部分と、指定されたデジタル画像を前記第一の解像度より低い第二の解像度で記憶するための第二のメモリ部分を有し、前記第二の部分には保護モードがあり、このモードにおいては前記デジタル表示記憶機器の使用者が前記保護モードを無効にするまで前記第二のメモリ部分の中の前記デジタル画像の削除および／または上書きが防止され、前記第二の部分の前記保護モードが無効にされると、前記デジタル表示記憶機器の取得された画像は、前記第二のメモリ部分の中の前記デジタル画像の上に、前記新たに取得されたデジタル画像を上書きし、前記第二の部分の前記指定されたデジタル画像は、前記デジタル表示記憶機器と通信可能なホストコンピュータ上の命令によって管理されることを特徴とするデジタル表示記憶機器。
（１４）
（１３）に記載のデジタル表示記憶機器であって、
前記第二のメモリ部分の中の前記デジタル画像は、前記新たに取得されたデジタル画像を記憶するのに必要な範囲でのみ上書きされることを特徴とするデジタル表示記憶機器。
（１５）
（１３）に記載のデジタル表示記憶機器であって、
前記第二のメモリ部分の中の前記デジタル画像は、前記第一のメモリ部分が新しく取得されたデジタル画像をそれ以上記憶できなくなるまで上書きされないことを特徴とするデジタル表示記憶機器。
（１６）
（１３）に記載のデジタル表示記憶機器であって、
前記新たに取得されたデジタル画像の消去は、前記新たに取得された画像を前記データベースにアップロードすることであることを特徴とするデジタル表示記憶機器。
（１７）
（１３）に記載のデジタル表示記憶機器であって、
前記第二のメモリ部分に、その中に記憶されるものとして特定された画像を記憶するのに必要な実際のメモリ需要量が前記第二のメモリ部分に割り付けられたメモリ容量より小さい場合、前記第二のメモリ部分の余剰メモリは、前記デジタル表示記憶機器によって取得された新しい画像に関して使用されることを特徴とするデジタル表示記憶機器。
（１８）
（１３）に記載のデジタル表示記憶機器であって、
前記デジタル表示記憶機器に記憶されている選択された画像の印刷は、前記選択された画像についてより高い解像度のものが記憶されているホスト機器を通じて行われ、前記高解像度の画像が前記印刷のために使用されることを特徴とするデジタル表示記憶機器。
（１９）
（１３）に記載のデジタル表示記憶機器であって、
前記ホスト機器は、前記より高解像度の画像が記憶されている場所に固有の識別表示を有し、前記識別表示を使って前記デジタル表示記憶機器と前記ホストコンピュータの間のオーソライズされた通信が許可されることを特徴とするデジタル表示記憶機器。
（２０）
（１３）に記載のデジタル表示記憶機器であって、
前記デジタル表示記憶機器は、前記デジタル表示記憶機器と前記ホストコンピュータとの間のオーソライズされた通信を許可するのに使用される固有の識別表示を有することを特徴とするデジタル表示記憶機器。
（２１）
（１３）に記載のデジタル表示記憶機器であって、
前記表示記憶機器はデジタルカメラであることを特徴とするデジタル表示記憶機器。
（２２）
（１３）に記載のデジタル表示記憶機器であって、
前記表示記憶機器はＰＤＡであることを特徴とするデジタル表示記憶機器。
（２３）
（１３）に記載のデジタル表示記憶機器であって、
前記表示記憶機器はポータブルコンピュータであることを特徴とするデジタル表示記憶機器。
（２４）
（１３）に記載のデジタル表示記憶機器であって、
前記表示記憶機器は携帯電話機内蔵カメラであることを特徴とするデジタル表示記憶機器。
（２５）
特定された指定集合の中に入れるものとして指定されたデジタル画像を管理するためのシステムであって、
前記デジタル表示記憶機器と通信可能なコンピュータを備え、前記コンピータはその上の特定された集合の中に入れるものとして指定されていたデジタル画像を含む前記データベースを有し、前記第二のメモリ部分における前記デジタル画像の復元を可能し、
また、前記デジタル画像を記憶するためのメモリを有する少なくともひとつのデジタル表示記憶機器を備え、前記メモリは前記デジタル表示記憶機器によって取得されたデジタル画像を記憶するために指定された第一の部分と、前記コンピュータ上の前記特定された指定集合の中の前記画像に対応するデジタル画像を記憶するための第二のメモリ部分を有し、前記第二のメモリ部分は保護モードを有し、このモードにおいては、前記デジタル表示記憶機器の使用者が前記保護モードを無効にするまで前記第二のメモリ部分の中の前記デジタル画像の削除が防止され、前記第二の部分の前記保護モードが無効にされると、前記デジタル表示記憶機器は、前記第二のメモリ部分の中の前記デジタル画像の上に新たに取得されたデジタル画像を上書きすることができ、前記表示記憶機器がデータベースと通信リンクしているときに、前記第二のメモリの中の前記新たに取得されたデジタル画像が消去された後、前記第二のメモリは前記コンピュータ上の前記特定された集合の中の前記デジタル画像に対応するよう復元されることを特徴とするシステム。
（２６）
（２５）に記載のシステムであって、
前記第二のメモリ部分の中の前記デジタル画像は、前記新たに取得されたデジタル画像を記憶するのに必要な範囲でのみ上書きされることを特徴とするシステム。
（２７）
（２５）に記載のシステムであって、
前記第二のメモリ部分の中の前記デジタル画像は、前記第一のメモリ部分が取得されたデジタル画像をそれ以上記憶することができなくなるまで上書きされないことを特徴とするシステム。
（２８）
（２５）に記載のシステムであって、
前記新たに取得されたデジタル画像の消去は、前記新たに取得された画像を前記データベースにアップロードすることであることを特徴とするシステム。
（２９）
（２５）に記載のシステムであって、
前記少なくともひとつの表示記憶機器は、複数の表示記憶機器からなることを特徴とするシステム。
（３０）
（２９）に記載のシステムであって、
前記複数の表示記憶機器の各々の前記第二のメモリ部分は、同じデジタル画像を有するように設計されていることを特徴とするシステム。
（３１）
（２５）に記載のシステムであって、
前記表示記憶機器はデジタルカメラであることを特徴とするシステム。
（３２）
（２５）に記載のシステムであって、
前記表示記憶機器はＰＤＡであることを特徴とするシステム。
（３３）
（２５）に記載のシステムであって、
前記表示記憶機器はポータブルコンピュータであることを特徴とするシステム。
（３４）
（２５）に記載のシステムであって、
前記表示記憶機器は携帯電話機内蔵カメラであることを特徴とするシステム。
（３５）
（２５）に記載のシステムであって、
前記コンピュータは、通信ネットワーク上でアクセス可能なサービスプロバイダに配置されていることを特徴とするシステム。
（３６）
デジタル表示記憶機器の制御に使用されるソフトウェア製品であって、
前記デジタル表示記憶機器は、デジタル画像を記憶するためのメモリと他の機器と通信する通信機能を有し、コンピュータプログラムが、前記デジタル表示記憶機器にロードされると、
前記表示記憶機器に、
前記メモリの第一のメモリ部分の中に取得されたデジタル画像を記憶させるステップと、
前記メモリの第二のメモリ部分に指定されたデジタル画像を記憶させるステップであって、前記第二のメモリ部分は保護モードを有し、このモードでは、前記第二のメモリ部分の中の前記デジタル画像の削除が防止されるステップと、
前記デジタル表示記憶機器の使用者が前記保護モードを無効にすることを許可し、前記第二のメモリ部分の前記保護モードが無効にされると、前記デジタル表示記憶機器は前記第二のメモリ部分の中の前記デジタル画像の上に、前記新たに取得されたデジタル画像を上書きできるようにするステップと、
前記カメラが上書きされた前記デジタル画像を復元するための情報を持つデータベースと通信するときに、前記第二のメモリ部分の中の上書きされた前記デジタル画像を前記第二のメモリ部分に復元するステップと、
を実行させることを特徴とするソフトウェア製品。
（３７）
（３６）に記載のソフトウェア製品であって、
前記第二のメモリ部分における前記上書きされた画像を復元する前記ステップは、前記第二のメモリ部分の中の前記新たに取得された画像が前記データベースにアップロードされた後に行われることを特徴とするソフトウェア製品。
（３８）
ソフトウェア製品であって、
前記ソフトウェアのプログラムがコンピュータ上にロードされると、前記コンピュータに、
前記コンピュータの中の指定集合および少なくともひとつのデジタル表示記憶機器の中の対応する集合の中のデジタル画像の記憶を管理するステップであって、前記デジタル表示記憶機器はデジタル画像を記憶するためのメモリと、前記コンピュータと通信するための通信機能を有し、前記メモリは前記表示記憶機器により取得されたデジタル画像を記憶するための第一の部分と、指定されたデジタル画像を長期的に記憶するための第二のメモリ部分を有し、前記プログラムは、どのデジタル画像を前記少なくともひとつの表示記憶機器の前記第二のメモリ部分の中に収めるかを管理し、前記少なくともひとつの表示記憶機器は、前記第二のメモリ部分の中の前記デジタル画像の削除を防止する保護モードを有し、前記デジタル表示記憶機器の使用者が前記保護モードを無効にすることを許可し、前記第二のメモリ部分の前記保護モードが無効にされると、前記デジタル表示記憶機器は前記第二のメモリ部分の中の前記デジタル画像の上に前記取得されたデジタル画像を上書きするステップと、
前記表示記憶機器がコンピュータと通信しているときに、前記第二のメモリ部分の中の前記指定集合の中の、上書きされた前記デジタル画像を復元するステップと、
を実行させることを特徴とするソフトウェア製品。
（３９）
複数の関連機器の間でデジタル画像の指定された集合を維持する方法であって、
ａ．第一の機器の中にデジタル画像の管理指定集合を維持するステップであって、前記第一の機器は前記第一の機器の中に何が維持されるかを管理するとともに、取得される前記画像の最高解像度と同等もしくはそれ以下の指定解像度で保持するよう管理し、前記第一の機器は前記管理指定集合にデジタル画像を追加し、および／またはここから削除する能力を有し、前記第一の機器は少なくともひとつの関連する表示記憶機器と通信リンクを確立し、前記少なくともひとつの表示記憶機器の中に前記管理指定集合に対応するデジタル画像の対応集合を第二の指定された解像度で管理する能力を有し、前記少なくともひとつの関連する記憶表示機器の各々はデジタル画像を取得し、前記新たに取得された画像が前記管理指定集合に追加されるべきか否かを特定する能力を有し、前記デジタル画像の対応集合は、前記少なくともひとつのデジタル表示記憶機器の使用者によってとられた具体的な行動によってのみ上書き可能である保護されたメモリ位置に配置されるステップと、
ｂ．前記第一の機器と前記少なくともひとつの表示記憶機器との間に通信リンクを確立するステップと、
ｃ．前記第一の機器が前記少なくともひとつの関連機器と通信リンクしているときに、前記第一の機器における前記管理指定集合を自動的に更新するとともに、前記少なくともひとつの関連する記憶表示機器の前記対応集合を更新するステップを含む、
ことを特徴とする方法。
（４０）
デジタル画像を記憶、表示するためのメモリを有するデジタルカメラであって、
前記メモリは前記デジタルカメラによって取得される画像を記憶するために指定された第一の部分とデジタル画像を記憶するための第二のメモリ部分を有し、前記第二のメモリ部分は保護モードを有し、このモードでは、前記デジタルカメラの使用者によって前記保護モードを無効にされるまで、前記第二のメモリ部分の中の前記デジタル画像の削除もしくは上書きが防止され、前記第二の部分の前記保護モードが無効にされると、前記デジタルカメラは前記第二のメモリ部分の中の前記デジタル画像の上に前記新たに撮影されたデジタル画像を上書きし、前記第二のメモリ部分の中の上書きされた前記デジタル画像は、前記デジタルカメラが上書きされた前記デジタル画像を復元するための情報を有するデータベースと通信リンクしているときであって、前記第二のメモリの中の前記新たに撮影された画像が前記デジタルカメラから消去された後に前記第二のメモリ部分に復元されることを特徴とするデジタルカメラ。
（４１）
（４０）に記載のデジタルカメラであって、
前記第二のメモリ部分の中の前記デジタル画像は、前記保護モードが無効にされたとき、前記新たに取得されたデジタル画像を記憶するのに必要な範囲でのみ、上書きされることを特徴とするデジタルカメラ。
（４２）
（４０）に記載のデジタルカメラであって、
前記第二のメモリ部分の中の前記デジタル画像は、前記第一のメモリ部分が新たに取得されたデジタル画像をそれ以上記憶することができなくなるまで、かつ前記保護モードが無効にされるまで上書きされないことを特徴とするデジタルカメラ。
（４３）
（４０）に記載のデジタルカメラであって、
前記新たに取得されたデジタル画像の消去は、前記取得された画像を前記データベースにアップロードすることであることを特徴とするデジタルカメラ。
（４４）
（４０）に記載のデジタルカメラであって、
前記第二のメモリ部分の中の、その中に記憶されるべきであるとして特定された画像を記憶するのに必要な実際のメモリ需要量が前記第二のメモリ部分に割り付けられたメモリ容量より小さい場合、前記第二のメモリ部分の余剰メモリは、前記デジタルカメラによって取得された新たな画像に関して使用することができることを特徴とするデジタルカメラ。
（４５）
（４０）に記載のデジタルカメラであって、
デジタル表示記憶機器に記憶されたもののうちの選択された画像の印刷は、前記選択された画像についてより高い解像度のものが記憶されているホスト機器を通じて実行され、高解像度の画像が前記印刷に使用されることを特徴とするデジタルカメラ。
（４６）
（４０）に記載のデジタルカメラおよび記憶機器であって、
前記ホスト機器は、より高解像度の画像が記憶される場所に固有の識別表示を有し、前記固有の識別表示を使って、前記デジタル表示記憶機器と前記ホスト機器との間のオーソライズされた通信が許可されることを特徴とするデジタルカメラおよび記憶機器。
（４７）
（４０）に記載のデジタルカメラおよび記憶機器であって、
前記デジタル表示記憶機器は、前記デジタル表示記憶機器と前記ホスト機器との間のオーソライズされた通信を許可するために使用される固有の識別表示を有することを特徴とするデジタルカメラおよび記憶機器。
（４８）
デジタル画像を記憶するためのメモリを有するデジタルカメラであって、
前記メモリは前記デジタルカメラによって撮影された画像を第一の解像度で記憶するために指定された第一の部分と、指定されたデジタル画像を前記第一の解像度より低い第二の解像度で記憶するための第二のメモリ部分を有し、前記第二の部分は保護モードを有し、このモードでは、前記デジタルカメラの使用者が前記保護モードを無効にするまで前記第二のメモリ部分の中の前記デジタル画像の削除および／または上書きが防止され、前記第二の部分の前記保護モードが無効にされると、前記第二のメモリ部分の中の前記デジタル画像の上に前記新たに撮影されたデジタル画像を上書きし、前記第二の部分の中の前記指定されたデジタル画像は、前記デジタルカメラと通信可能なホストコンピュータ上の命令によって管理されることを特徴とするデジタルカメラ。
（４９）
（４８）に記載のデジタルカメラであって、
前記第二のメモリ部分の中の前記デジタル画像は、前記新たに取得されたデジタル画像を記憶するのに必要な範囲でのみ上書きされることを特徴とするデジタルカメラ。
（５０）
（４８）に記載のデジタルカメラであって、
前記第二のメモリ部分の中の前記デジタル画像は、前記第一のメモリ部分が新たに取得されたデジタル画像をそれ以上記憶できなくなるまで上書きされないことを特徴とするデジタルカメラ。
（５１）
（４８）に記載のデジタルカメラであって、
前記新たに撮影されたデジタル画像の消去は、前記新たに撮影された画像を前記データベースにアップロードすることであることを特徴とするデジタルカメラ。
（５２）
（４８）に記載のデジタルカメラであって、
前記第二のメモリ部分の中の、その中に記憶するべきものとして特定された画像を記憶するのに実際に必要なメモリ需要量が前記第二のメモリ部分に割り付けられたメモリ容量より小さい場合、前記第二のメモリ部分の余剰メモリは、前記デジタルカメラによって取得された新たな画像に関して使用することができることを特徴とするデジタルカメラ。
（５３）
（４８）に記載のデジタルカメラであって、
デジタル表示記憶機器に記憶されたもののうち選択された画像は、前記選択された画像についてより高解像度のものが記憶されているホストコンピュータを通じて実行され、高解像度の画像が前記印刷に使用されることを特徴とするデジタルカメラ。
（５４）
（５３）に記載のデジタルカメラであって、
前記ホストコンピュータは、前記より高解像度の画像が記憶されている場所に固有の識別表示を有し、前記固有の識別表示を使い、前記デジタル表示記憶機器と前記ホスト機器との間のオーソライズされた通信が許可されることを特徴とするデジタルカメラ。
（５５）
（５３）に記載のデジタルカメラ記憶機器であって、
前記デジタル表示記憶機器は、前記デジタル表示記憶機器と前記ホストコンピュータとの間のオーソライズされた通信を許可するために使用される固有の識別表示を有することを特徴とするデジタルカメラ記憶機器。
（５６）
特定された指定集合の中に入れるものとして指定されたデジタル画像を管理するシステムであって、
前記デジタルカメラと通信できるコンピュータであって、特定集合の中に入れるものとして指定されたデジタル画像を含んでおり、前記第二のメモリ部分の中の前記デジタル画像の復元を可能にする前記データベースを有するコンピュータと、
デジタル画像を記憶するためのメモリを有する少なくともひとつのデジタルカメラであって、前記メモリは前記デジタルカメラによって取得されたデジタル画像を記憶するよう指定された第一の部分と、前記コンピュータ上の前記特定された指定集合に対応するデジタル画像を記憶するための第二のメモリ部分を有し、前記第二のメモリは保護モードを有し、このモードでは、前記デジタルカメラの使用者によって前記保護モードが無効にされるまで前記第二のメモリ部分の中の前記デジタル画像の削除が防止され、前記第二の部分の前記保護モードが無効にされると、前記デジタルカメラは、前記第二のメモリ部分の中の前記デジタル画像の上に新たに取得されたデジタル画像を上書きすることができ、前記第二のメモリは、前記カメラがデータベースと通信リンクした状態となって、前記第二のメモリの中の前記新たに取得されたデジタル画像が消去された後に、前記コンピュータ上の前記特定集合の中の前記デジタル画像に対応するよう復元されるデジタルカメラと、
を含むことを特徴とするシステム。
（５７）
（５６）に記載のシステムであって、
前記第二のメモリ部分の中の前記デジタル画像は、前記新たに取得されたデジタル画像を記憶するのに必要な範囲でのみ上書きされることを特徴とするシステム。
（５８）
（５６）に記載のシステムであって、
前記第二のメモリ部分の中の前記デジタル画像は、前記第一のメモリ部分が取得されたデジタル画像をそれ以上記憶できなくなるまで上書きされないことを特徴とするシステム。
（５９）
（５６）に記載のシステムであって、
前記新たに取得されたデジタル画像の消去は、前記新たに撮影された画像を前記データベースにアップロードすることであることを特徴とするシステム。
（６０）
（５６）に記載のシステムであって、
前記少なくともひとつのカメラは複数のカメラであることを特徴とするシステム。
（６１）
（６０）に記載のシステムであって、
前記複数のカメラの前記第二のメモリ部分の各々は、同じデジタル画像を持つように設計されていることを特徴とするシステム。
（６２）
（５６）に記載のシステムであって、
前記コンピュータは、通信ネットワーク上でアクセス可能なサービスプロバイダに配置されていることを特徴とするシステム。
（６３）
デジタルカメラを制御するために使用されるソフトウェア製品であって、
前記デジタルカメラはデジタル画像を記憶するためのメモリと、他の機器と通信するための通信機能を有し、コンピュータプログラムは、前記デジタルカメラにロードされると、
前記デジタルカメラに、
撮影されたデジタル画像が前記メモリの第一のメモリ部分に記憶されるのを可能にするステップと、
指定されたデジタル画像が前記メモリの第二のメモリ部分に記憶されるのを可能にするステップであって、前記第二のメモリ部分は前記第二のメモリ部分の中の前記デジタル画像の削除を防止する保護モードを有するステップと、
前記デジタルカメラの使用者が前記保護モードを無効にすることを可能にし、前記第二のメモリ部分の前記保護モードが無効にされると、前記デジタルカメラが前記第二のメモリ部分の中の前記デジタル画像の上に前記新たに取得されたデジタル画像を上書きすることができるようにするステップと、
前記カメラが、上書きされた前記デジタル画像を復元するための情報を有するデータベースと通信しているときに、前記第二のメモリ部分の中の上書きされた前記デジタル画像を復元するステップと、
を前記カメラに以下のステップを実行させることを特徴とするソフトウェア製品。
（６４）
（６３）に記載のソフトウェ製品であって、
前記第二のメモリ部分の中の前記上書きされた画像を復元する前記ステップは、前記第二のメモリの中の前記新たに撮影された画像が前記データベースにアップロードされた後に行われることを特徴とするソフトウェア製品。
（６５）
ソフトウェアプログラムであって、前記ソフトウェアプログラムがコンピュータにロードされると、前記コンピュータに、
前記コンピュータの指定集合および少なくともひとつのデジタルカメラの対応集合の中のデジタル画像の記憶を管理するステップであって、前記デジタルカメラはデジタル画像を記憶するためのメモリと、前記コンピュータと通信するための通信機能を有し、前記メモリは前記カメラにより取得されたデジタル画像を記憶するための第一の部分と、指定されたデジタル画像を長期的に記憶するための第二のメモリ部分を有し、前記プログラムは、どのデジタル画像を前記少なくともひとつのカメラの前記第二のメモリ部分の中に収めるかを管理し、前記少なくともひとつのカメラは、前記第二のメモリ部分の中の前記デジタル画像の削除を防止する保護モードを有し、前記デジタルカメラの使用者が前記保護モードを無効にすることができ、前記第二のメモリ部分の前記保護モードが無効にされると、前記デジタルカメラは前記第二のメモリ部分の中の前記デジタル画像の上に前記取得されたデジタル画像を上書きするステップと、
前記カメラがコンピュータと通信しているときに、前記第二のメモリ部分の中の前記指定の集合の中の、上書きされた前記デジタル画像を復元するステップと、
を実行させることを特徴とするソフトウェアプログラム。
（６６）
複数の機器の間でデジタル画像の指定集合を維持する方法であって、
ａ．第一の機器の中にデジタル画像の管理指定集合を、前記指定集合の中に前記第一の機器によって取得される前記画像の最高解像度と同等もしくはそれ以下の指定解像度で保持されるものを管理するために維持するステップであって、前記第一の機器は前記管理指定集合にデジタル画像を追加し、および／またはここから削除する能力を有し、前記第一の機器は少なくともひとつのカメラと通信リンクを確立し、前記少なくともひとつのカメラの中に前記指定集合に対応するデジタル画像の対応集合を前記指定解像度で管理する能力を有し、前記少なくともひとつの関連する記憶表示機器の各々はデジタル画像を取得し、前記新たに取得された画像が前記管理指定集合に追加されるべきか否かを特定する能力を有し、前記対応集合は、前記少なくともひとつのデジタルカメラの使用者が具体的な行動をとることによってのみ上書き可能である保護されたメモリ位置に配置されるステップと、
ｂ．前記第一の機器と前記少なくともひとつのカメラとの間に通信リンクを確立するステップと、
ｃ．前記第一の機器が前記少なくともひとつの機器と通信リンクしているときに、前記第一の機器における前記管理指定集合を自動的に更新し、前記少なくともひとつの記憶表示機器の前記対応集合を更新するステップと、
を含むことを特徴とする方法。
（６７）
複数の関連機器の間でデジタル画像の指定集合を維持し、画像製品を注文する方法であって、
ａ．第一の機器の中にデジタル画像の管理指定集合を、前記管理指定集合の中に前記第一の機器によって取得される前記画像の最高解像度と同等もしくはそれ以下の指定解像度で保持されるものを管理するために維持するステップであって、前記第一の機器は前記管理指定集合にデジタル画像を追加し、および／またはここから削除する能力を有し、前記第一の機器は少なくともひとつの関連する表示記憶機器と通信リンクを確立し、前記少なくともひとつの表示記憶機器の中に前記管理指定集合に対応するデジタル画像の対応集合を第二の指定された解像度で管理する能力を有し、前記少なくともひとつの記憶表示機器の各々はデジタル画像を取得し、前記新たに取得された画像が前記管理指定集合に追加されるべきか否かを特定する能力を有し、前記対応集合は、前記少なくともひとつのデジタル表示記憶機器の使用者が具体的な行動をとることによってのみ上書き可能である保護されたメモリ位置に配置され、前記機器は、前記対応集合の中の前記デジタル画像のひとつを指定する画像製品を注文するための選択入力を有するステップと、
ｂ．前記第一の機器と前記少なくともひとつの表示記憶機器との間に通信リンクを確立するステップと、
ｃ．前記第一の機器における前記管理指定集合の中の前記指定された画像の高解像度画像を使って前記画像製品を生成して、前記画像製品を自動的に提供するステップと、
を含むことを特徴とする方法。
（６８）
デジタル画像を記憶するためのメモリを有するデジタル表示記憶機器であって、
前記メモリは前記デジタル表示記憶機器によって取得された画像を第一の解像度で記憶するために指定された第一の部分と、指定されたデジタル画像を第二の解像度で記憶するための第二のメモリ部分を有し、前記第二の部分は保護モードを有し、このモードでは、前記デジタル表示記憶機器の使用者が前記保護モードを無効にするまで前記第二のメモリ部分の中の前記デジタル画像の削除および／または上書きが防止され、前記第二の部分の前記保護モードが無効にされると、前記デジタル表示記憶機器の取得されたデジタル画像が、前記第二のメモリ部分の中の前記デジタル画像の上に前記新たに取得されたデジタル画像を上書きし、前記第二の部分の中の前記指定されたデジタル画像は、前記デジタル表示記憶機器と通信可能なホストコンピュータ上の命令によって管理されることを特徴とするデジタル表示記憶機器。
（６９）
（６８）に記載のデジタル表示記憶機器であって、
前記第二のメモリ部分の中の前記デジタル画像は、前記新たに取得されたデジタル画像を記憶するのに必要な範囲でのみ上書きされることを特徴とするデジタル表示記憶機器。
（７０）
（６８）に記載のデジタル表示記憶機器であって、
前記第二のメモリ部分の中の前記デジタル画像は、前記第一のメモリ部分が新たに取得されたデジタル画像をこれ以上記憶できなくなるまで上書きされないことを特徴するデジタル表示記憶機器。
（７１）
（６８）に記載のデジタル表示記憶機器であって、
前記新たに取得されたデジタル画像の消去は、前記新たに取得された画像を前記データベースにアップロードすることであることを特徴とするデジタル表示記憶機器。
（７２）
（６８）に記載のデジタル表示記憶機器であって、
前記第二のメモリ部分に、そこに記憶すべきものとして特定された画像を記憶するのに実際に必要なメモリ需要量が前記第二の部分に割り付けられたメモリ容量より小さいとき、前記第二のメモリ部分の余剰メモリは、前記デジタル表示記憶機器によって取得された新たな画像に関して使用することができることを特徴とするデジタル表示記憶機器。
（７３）
（６８）に記載のデジタル表示記憶機器であって、
デジタル表示記憶機器に記憶されたもののうち選択された画像の印刷は、前記選択された画像の第一の解像度の画像が記憶されたホスト機器を通じて実行され、前記第一の解像度の画像が前記印刷に使用されることを特徴とするデジタル表示記憶機器。
（７４）
（６８）に記載のデジタル表示記憶機器であって、
前記ホスト機器は、前記第一の解像度の画像が記憶されている場所に固有の識別表示を有し、前記固有の識別表示を使って、前記デジタル表示記憶機器と前記ホストコンピュータとの間のオーソライズされた通信が許可されることを特徴とするデジタル表示記憶機器。
（７５）
（６８）に記載のデジタル表示記憶機器であって、
前記デジタル表示記憶機器は、前記デジタル表示記憶機器と前記ホストコンピュータとの間のオーソライズされた通信を許可するために使用される固有の識別表示を有することを特徴とするデジタル表示記憶機器。
（７６）
（６８）に記載のデジタル表示記憶機器であって、
前記表示記憶機器はデジタルカメラであることを特徴とするデジタル表示記憶機器。
（７７）
（６８）に記載のデジタル表示記憶機器であって、
前記表示記憶機器はＰＤＡであることを特徴とするデジタル表示記憶機器。
（７８）
（６８）に記載のデジタル表示記憶機器であって、
前記表示記憶機器はポータブルコンピュータであることを特徴とするデジタル表示記憶機器。
（７９）
（６８）に記載のデジタル表示記憶機器であって、
前記表示記憶機器は携帯電話機内蔵カメラであることを特徴とするデジタル表示記憶機器。
（８０）
（６８）に記載のデジタル表示記憶機器であって、
前記第二の解像度は前記第一の解像度より低いことを特徴とするデジタル表示記憶機器。
（８１）
（６８）記載のデジタル表示記憶機器であって、
前記第二の解像度は前記第一の解像度と同じであることを特徴とするデジタル表示記憶機器。